(57)【特許請求の範囲】
【請求項１】
原稿の画像を読取る画像読取手段と、該画像読取手段が読取った画像に基づいて画像出力を行う画像出力手段とを備える画像出力装置において、
前記画像読取手段にて読取った原稿が画像データの所在を表す所在情報及び画像の出力順序を指定する順序情報が記録された原稿であるか否かを判断する手段と、所在情報及び順序情報が記録された原稿であると判断した場合、該所在情報を参照して画像データを取得する取得手段とを備え、
前記画像読取手段にて読取った複数の原稿の中に所在情報及び順序情報が記録された原稿が含まれる場合、前記取得手段が取得した画像データに基づく画像、及び前記所在情報及び順序情報が記録されていない原稿から読取った画像を、前記順序情報により指定される出力順序で出力するようにしてあることを特徴とする画像出力装置。
【請求項２】
画像データを記憶する記憶手段を備え、前記所在情報は前記記憶手段における画像データの記憶場所を特定する情報であることを特徴とする請求項１に記載の画像出力装置。
【請求項３】
外部機器と通信を行う手段を備え、前記所在情報は外部機器の通信アドレスを含む情報であることを特徴とする請求項１に記載の画像出力装置。
【請求項４】
前記所在情報は、文字列又はバーコードにより記述されていることを特徴とする請求項１から請求項３の何れか１つに記載の画像出力装置。
【請求項５】
前記所在情報は、カラー画像に係る画像データの所在を表す情報であることを特徴とする請求項１から請求項４の何れか１つに記載の画像出力装置。
【発明の詳細な説明】
【技術分野】
【０００１】
本発明は、原稿をコピーする際に原稿の作成元となるオリジナルデータを取得して出力処理を行うことができる画像出力装置に関する。
【背景技術】
【０００２】
近年、カラーコピー機、デジタルカラー複合機が広く普及している。入力されたデータがカラーデータである場合には各色成分に分解し、色成分毎に画像処理を行った後、各色成分の画像を重ね合わせて多色画像を形成する。一方、入力されたデータが白黒データである場合には、色成分に分解して各色成分毎の画像処理を行う必要がなくなる。このように、カラー原稿の読込みを行う場合と白黒原稿の読込みを行う場合とでは装置内部で実行する処理が異なるため、カラーコピー機、デジタルカラー複合機等では、カラー原稿の読込モードと白黒原稿の読込モードとを搭載していることが一般的である（例えば、特許文献１及び特許文献２参照）。
【特許文献１】特開平１１−１３３６９７号公報
【特許文献２】特開２００２−２４４４９９号公報
【発明の開示】
【発明が解決しようとする課題】
【０００３】
ところで、白黒原稿とカラー原稿とが混在した原稿のコピーを行う場合、カラー原稿を読込む必要があるため、カラー原稿の読込モードに設定して原稿全体の読込みを行う。したがって、多量の白黒原稿にカラー原稿が一部混ざっている場合であってもカラー原稿の読込モードで画像を読込む必要があり、読込時間の短縮化を図ることができないという問題点を有していた。
【０００４】
また、カラー原稿のコピーを行う場合、前述したように色分解を行い、色分解して得られた各色成分のデータ毎に画像処理を行い、各色成分の画像を重ね合わせて出力処理を完成させる。したがって、カラー原稿のコピーを行う場合には、原稿読取部、画像処理部等の影響を受けるため、読込元の原稿に使用されているカラーを忠実に再現することが困難となり、画像の劣化が生じることが問題となる。
【０００５】
本発明は斯かる事情に鑑みてなされたものであり、受付けた画像データに所在情報が含まれているか否かを判断し、所在情報が含まれていると判断した場合にはその所在情報に基づいて画像データを取得し、取得した画像データに基づいて画像の出力を行う構成とすることにより、画像の読込時間の短縮化を図り、画像の劣化がない状態で出力処理が行える画像出力装置を提供することを目的とする。
【課題を解決するための手段】
【０００６】
本発明に係る画像出力装置は、原稿の画像を読取る画像読取手段と、該画像読取手段が読取った画像に基づいて画像出力を行う画像出力手段とを備える画像出力装置において、前記画像読取手段にて読取った原稿が画像データの所在を表す所在情報及び画像の出力順序を指定する順序情報が記録された原稿であるか否かを判断する手段と、所在情報及び順序情報が記録された原稿であると判断した場合、該所在情報を参照して画像データを取得する取得手段とを備え、前記画像読取手段にて読取った複数の原稿の中に所在情報及び順序情報が記録された原稿が含まれる場合、前記取得手段が取得した画像データに基づく画像、及び前記所在情報及び順序情報が記録されていない原稿から読取った画像を、前記順序情報により指定される出力順序で出力するようにしてあることを特徴とする。
【０００７】
本発明にあっては、画像データに所在情報が含まれている場合、その所在情報を基に画像データを取得し、取得した画像データに基づいて出力処理を行う。したがって、カラー原稿等をコピーする場合、スキャナで読込んだ画像データからではなく、原稿を作成したときのオリジナルのデータに基づいて出力処理を行うことが可能となる。
【０００９】
本発明にあっては、原稿の画像を読取り、読取った画像に画像データの所在情報が含まれているか否かを判断するようにしているため、原稿をコピーする際の機能として利用される。
【００１１】
本発明にあっては、所在情報が含まれていない場合には読取った画像に基づく出力を行い、所在情報が含まれている場合には所在情報を基に取得した画像に基づいて出力を行う。
【００１３】
本発明にあっては、所在情報に加えて画像データの出力順序に係る情報が含まれている場合には、その出力順序に従って画像の出力を行う。
【００１４】
本発明に係る画像出力装置は、画像データを記憶する記憶手段を備え、前記所在情報は前記記憶手段における画像データの記憶場所を特定する情報であることを特徴とする。
【００１５】
本発明にあっては、記憶手段を備えており、所在情報として記憶手段における画像データの記憶場所を特定する情報を採用している。したがって、所在情報を抽出した場合には記憶手段から画像データを読出す。
【００１６】
本発明に係る画像出力装置は、外部機器と通信を行う手段を備え、前記所在情報は外部機器の通信アドレスを含む情報であることを特徴とする。
【００１７】
本発明にあっては、所在情報として外部機器の通信アドレスを含む情報を採用しているため、所在情報を抽出した場合には通信により画像データを取得する。
【００１８】
本発明に係る画像出力装置は、前記所在情報は、文字列又はバーコードにより記述されていることを特徴とする。
【００１９】
本発明にあっては、所在情報は、文字列又はバーコードにより記述されているため、既存の認識手法を用いて所在情報を抽出することができる。
【００２０】
本発明に係る画像出力装置は、前記所在情報は、カラー画像に係る画像データの所在を表す情報であることを特徴とする。
【００２１】
本発明にあっては、所在情報はカラー画像に係る画像データの所在を表しているため、カラー原稿をコピーする際に画像の劣化が防止される。
【発明の効果】
【００２２】
本発明による場合は、画像データに所在情報が含まれている場合、その所在情報を基に画像データを取得し、取得した画像データに基づいて出力処理を行う。したがって、カラー原稿等をコピーする場合、スキャナで読込んだ画像データからではなく、原稿を作成したときのオリジナルのデータに基づいて出力処理を行うことが可能となり、コピー処理に伴う画像の劣化を防止することができる。
【００２３】
本発明による場合は、原稿の画像を読取り、読取った画像に画像データの所在情報が含まれているか否かを判断するようにしているため、原稿をコピーする際の機能として利用することができる。
【００２４】
本発明による場合は、所在情報が含まれていない場合には読取った画像に基づく出力を行い、所在情報が含まれている場合には所在情報を基に取得した画像に基づいて出力を行うため、原稿の種類に応じて所在情報を使い分けることができる。例えば、コピーを行ったときに画像の劣化が発生しやすいカラー原稿には所在情報を付加するようにしておき、画像の劣化があまり起こらない白黒原稿には所在情報を付加しないようにすることができる。また、カラー原稿に所在情報を付加する代わりに所在情報を含んだ白黒原稿を別途用意してもよい。この場合、全ての原稿を白黒モードで読込むことが可能となるため、処理時間を短縮することができる。
【００２５】
本発明による場合は、所在情報に加えて画像データの出力順序に係る情報が含まれている場合には、その出力順序に従って画像の出力を行う。したがって、所望の出力順序となるように読込順序を予め調整する必要がなくなる。また、所在情報を付加した原稿の読込みを一般の白黒原稿の読込みの前に行うことにより、所在情報に基づいて画像データを取得する時間を稼ぐことができる。
【００２６】
本発明による場合は、記憶手段を備えており、所在情報として記憶手段における画像データの記憶場所を特定する情報を採用している。したがって、所在情報を抽出した場合には記憶手段から画像データを読出して出力処理を行うことができる。
【００２７】
本発明による場合は、所在情報として外部機器の通信アドレスを含む情報を採用しているため、所在情報を抽出した場合には通信により画像データを取得して出力処理を行うことができる。
【００２８】
本発明による場合は、所在情報は、文字列又はバーコードにより記述されているため、既存の認識手法を用いて所在情報を抽出することができる。
【００２９】
本発明による場合は、所在情報はカラー画像に係る画像データの所在を表しているため、カラー原稿をコピーする際の画像の劣化を防止することができる。
【発明を実施するための最良の形態】
【００３０】
以下、本発明に係る画像出力装置をコピー機能、プリンタ機能等を有するデジタル複合機に適用した形態について図面を用いて具体的に説明する。
【００３１】
実施の形態１．
図１は本実施の形態に係るデジタル複合機の内部構成を示す模式的断面図である。デジタル複合機１００の最上段には原稿読取部１０が設けられており、その下側に画像形成部２０及び給紙部５０が並設され、更にそれらの下側に給紙部５０が配置されている。
【００３２】
原稿読取部１０は、複数の原稿を順次的に取込むためのＡＤＦ（Automatic Document Feeder）、及び読取るべき原稿を整列させた状態で載置するための原稿台１１ｂ、ＡＤＦによって取込まれた原稿、又は原稿台１１ｂに載置された原稿の画像を読取る光学式読取ユニットを備えている。
【００３３】
原稿読取部１０に搭載されているＡＤＦは、読取用の原稿をフェイスアップの状態で積層するための原稿トレイ１１ａ、載置された原稿の幅方向の位置を規制する原稿規制板１２ａ、原稿トレイ１１ａに積層された原稿を最上層から１枚ずつ取込むための呼込ローラ１３ａ、呼込ローラ１３ａにより取込んだ原稿を原稿台１１ｂまで搬送する搬送ローラ１３ｂ，１３ｃ、原稿台１１ｂ上の原稿を排紙トレイ１６の方向へ又はその逆の方向へ搬送する搬送ベルト１１ｂ、画像を読取った後に原稿を排紙トレイ１６へ排出する排紙ローラ１３ｅ，１３ｆにより構成されている。
【００３４】
また、ＡＤＦは、原稿台１１ｂから排紙トレイ１６の方向とは逆の方向へ搬送ベルト１３ｄによって搬送された原稿を搬送経路Ｓ３へ誘導する搬送ローラ１３ｇ、搬送ローラ１３ｇによって搬送された原稿をそのまま搬送ローラ１３ｃまで搬送する搬送ローラ１３ｈを更に備えている。これにより、ＡＤＦは、原稿トレイ１１ａ上に積層された原稿を最上層から１枚ずつ取り込んで原稿台１１ｂまで搬送し、原稿の表面に記録された画像を読取った後、搬送ローラ１３ｇ，１３ｈによって表裏反転させた上で再度原稿台１１ｂまで搬送し、原稿の裏面に記録された画像を読取るように構成されている。また、表面及び裏面を読取られた原稿は、排紙トレイ１６へ排出される。なお、原稿トレイ１１ａの適宜箇所には図に示していない原稿検知センサが搭載されており、原稿トレイ１１ａ上の原稿の有無を検知できるようにしている。
【００３５】
原稿読取部１０に搭載されている光学式読取ユニットは、原稿の表面に記録されている画像を読取るために光源ユニット１５、ミラーユニット１７、結像レンズ１８、及びＣＣＤラインセンサ１９等を備えている。
【００３６】
光源ユニット１５は、露光ランプから照射される読取用の照明光を凹面のリフレクタにより原稿台１１ｂの適宜の読取り位置に集光させ、原稿台１１ｂの面に対して反射面を４５°に設置したミラーによって原稿からの反射光の光路を９０°変更し、ミラーユニット１７へと導くように構成されている。ミラーユニット１７は、光源ユニット１５のミラーによって光路を９０°変更された光の光路を更に１８０°変更するために、反射面が相互に直交するように配置された一対のミラーを備えている。ＡＤＦから供給される原稿を読取る場合には、光源ユニット１５を所定の読取り位置に保持した状態で画像を読取り、原稿台１１ｂにセットされた原稿を読取る場合には、光源ユニット１５を原稿台１１ｂの面に平行に走査させるように構成されている。
【００３７】
ミラーユニット１７によって導かれた光は結像レンズ１８の作用によりＣＣＤラインセンサ１９に結像する。ＣＣＤラインセンサ１９は略一直線上に配置したフォトセルを数千個備えている。各フォトセルは光電変換を行い、入射した光をその光量に応じたアナログ電気信号に変換して出力する。ＣＣＤラインセンサ１９から出力されたアナログ電気信号は、図に示していないＡＤ変換器によりデジタル信号に変換され、原稿読取時の光源の配光特性、ＣＣＤラインセンサ１９の感度ムラ等の補正が施された後、画像データとして生成される。生成された画像データは後述する画像メモリ１０６（図２参照）へ出力される。
【００３８】
画像形成部２０は、感光体ドラム２３、感光体ドラム２３を帯電させる帯電器２５、帯電した感光体ドラム２３上に潜像を書き込むレーザ書込装置２１、感光体ドラム２３上の潜像を現像する現像器２２、感光体ドラム２３上に残留している現像剤を除去して感光体ドラム２３を再生するクリーニングユニット２４等からなる電子写真方式のプロセス部を備えており、このプロセス部に用紙を搬送することによって画像形成を行う。
【００３９】
また、画像形成部２０は、プロセス部の下方（上流側）に用紙を収容するための給紙カセット３０を備えており、用紙搬送路Ｓ１の近傍に設けられたピックアップローラ３０ａによって収容された用紙を１枚ずつ分離給送する。給紙カセット３０から分離給送された用紙がプロセス部へ搬送された場合、その用紙はレジストローラ３１によって一旦保持される。レジストローラ３１は、図に示していないレジスト前検知スイッチの検知信号に基づいて、感光体ドラム２３上のトナー像の先端を、用紙の画像形成領域の先端に合わせるタイミングに制御して、感光体ドラム２３の回転に合わせてプロセス部へ搬送するようにしている。
【００４０】
更に、画像形成部２０の下側には給紙部５０が設置されており、複数種の用紙を収容するために給紙カセット５１，５２，５３が設けられている。給紙部５０では、前述と同様に、給紙カセット５１，５２，５３が夫々備えるピックアップローラ５１ａ，５２ａ，５３ａにより収容された用紙が１枚ずつ分離給送され、用紙搬送路Ｓ１を通じて画像形成部２０のプロセス部へ搬送される。
【００４１】
プロセス部にてトナー像が転写された用紙は、プロセス部の下流側に設置された定着ユニット２７へと搬送される。定着ユニット２７は、ヒートローラ及び加圧ローラを備えており、これら２つのローラによりトナー像が転写された用紙を挟んで回転させ、ヒートローラの熱によりトナー像を用紙上に加熱定着させる。
【００４２】
定着ユニット２７によりトナー像を加熱定着させた用紙は、本デジタル複合機１００が備える幾つかの排紙トレイの何れかに排出される。デフォルトの設定では、排紙すべき用紙が排紙トレイ３４に導かれるように搬送ローラ３２及び切替ゲート３３が制御され、排紙ローラ３４ａを通じてフェイスダウンの状態で排紙トレイ３４上に排出される。一方、排紙部４０が備える排紙トレイ４１に用紙を排出することが指定されている場合、切替ゲート３３を切替えて搬送ローラ３５により排紙部４０に用紙を導き、切替ゲート４１ａ及び排紙ローラ４１ｂを通じて排紙トレイ４１上に用紙を排出する。排紙トレイ４２（又は排紙トレイ４３）に排出する場合も同様であり、切替ゲート４１ａ，４２ａ，４３ａにより搬送経路を制御し、排紙ローラ４２ｂ（又は排紙ローラ４３ｂ）を駆動することにより目的のトレイに用紙を排出する。
【００４３】
また、フェイスアップの状態で用紙を排出する場合、又は用紙の両面に画像形成を行う場合には、搬送ローラ３２，３５により用紙を一旦把持した後、搬送ローラ３２，３５を逆方向に回転駆動させて搬送ローラ３６により両面原稿搬送路Ｓ２へ用紙を導く。フェイスアップの状態で排紙を行う場合には、排紙ローラ３７ａを通じて排紙トレイ３７へ排出する。また、用紙の両面に画像形成を行う場合には、両面原稿搬送路Ｓ２を介して再び画像形成部２０のレジストローラ３１へ導き、画像形成部２０のプロセス部において用紙の裏面側にトナー像の形成を行う。なお、両面原稿搬送路Ｓ２の下端側には手差トレイ３８が設置されており、給紙カセット３０，５１，５２，５３に収容されていない種類の用紙をピックアップローラ３８ａにより取り込めるようにしている。
【００４４】
図２はデジタル複合機１００の制御系の構成を説明するブロック図である。デジタル複合機１００はＣＰＵ１０１を備えており、このＣＰＵ１０１には、前述した原稿読取部１０、画像形成部２０の他、ＲＯＭ１０３、ＲＡＭ１０４、操作パネル１０５、画像メモリ１０６、画像処理部１０７、通信ＩＦ１０８、ＨＤＤ１０９等のハードウェアがバス１０２を介して接続されている。ＣＰＵ１０１は、ＲＯＭ１０３に予め格納されている制御プログラムをＲＡＭ１０４上にロードして実行することにより、前述の各種ハードウェアの制御を行い、装置全体を本発明に係る画像出力装置として動作させる。
【００４５】
操作パネル１０５は、利用者による操作を受付ける操作部と、利用者に対して報知すべき情報を表示する表示部とにより構成されている。操作部は、機能の切替操作、プリント処理における出力枚数、コピー処理における変倍等の設定を受付けるために各種操作キー、数値キー等を備えている。表示部は液晶ディスプレイ装置を備えており、デジタル複合機１００の動作状況、操作部から入力された設定値等を表示する。
【００４６】
画像メモリ１０６は、例えば、揮発性のページメモリであり、原稿読取部１０にて取得した画像データ、後述の通信ＩＦ１０８を通じて受信したプリントジョブを展開して得られる画像データを頁単位で一時的に記憶する。
【００４７】
画像処理部１０７は、画像メモリ１０６に記憶された画像データに対し操作パネル１０５又はプリントジョブにて指定された処理を施す。また、画像処理部１０７は、画像メモリ１０６に記憶された画像データから必要な情報を抽出するために、パターンマッチング処理や文字認識処理の機能を有している。
【００４８】
通信ＩＦ１０８は、ローカルエリアネットワーク、インターネット網等の通信ネットワークＮに接続するためのインタフェースを備えている。通信ネットワークＮには、情報処理装置２００、サーバ装置３００等の外部機器が接続される。これら情報処理装置２００、サーバ装置３００等の外部機器には通信ネットワークＮ上の識別子として通信アドレスがそれぞれ付与される。デジタル複合機１００は、通信アドレスを基に外部機器との接続を確立させ、接続が確立された外部機器と各種データの授受を行う。
【００４９】
情報処理装置２００は、例えば、パーソナルコンピュータであり、文書やグラフィックス等を作成するためのアプリケーションプログラム、通信ネットワークＮを介してデジタル複合機１００を利用するためのドライバプログラムがインストールされている。ユーザは情報処理装置２００にインストールされたアプリケーションプログラムを用いて文書やグラフィックスを作成することができる。また、作成した文書やグラフィックスを印刷する場合、アプリケーションプログラムからドライバプログラムを呼び出して実行することによりプリントジョブを生成させ、生成されたプリントジョブをデジタル複合機１００に送信することにより印刷を行うことができる。なお、情報処理装置２００は、作成された文書、グラフィックス等のデータ（オリジナルデータ）を記憶するためにＨＤＤ等の記憶装置を備えている。
【００５０】
サーバ装置３００は、例えば、ファイルサーバであり、文書データやグラフィックスデータ等のデータ（オリジナルデータ）を蓄積しておくための記憶装置を備えている。サーバ装置３００は、外部から要求がある場合、記憶装置に蓄積されている電子データを読出し、要求元の装置へ送信する機能を備えている。
【００５１】
ＨＤＤ１０９は、磁気記録媒体を有する記憶装置であり、その記憶領域は各種のデータを記憶するデータ記憶領域として利用されている。ＨＤＤ１０９に記憶されるデータとしては、原稿読取部１０にて原稿を読取ることにより取得した画像データ、通信ＩＦ１０８で受信したプリントジョブを展開して得られる画像データ等が挙げられる。ＨＤＤ１０９に記憶された画像データは、例えば、操作パネル１０５を通じてユーザの要求を受付けたときに読出される。そのため、プリント処理の失敗又は出力部数の不足等のために、プリント処理を再度実行する必要がある場合には、データ記憶領域に記憶された画像データを読出してプリント処理を実行させることができるようにしている。
【００５２】
以上のデジタル複合機１００を用いて原稿のコピーを行う場合、まず、原稿読取部１０のＣＣＤラインセンサ１９によって原稿の画像が読取られる。したがって、原稿読取部１０から出力されるデータは原稿読取部１０の読取性能に依存したデータとなる。例えば、解像度は、主走査方向に配置されたＣＣＤラインセンサ１９のフォトセルの間隔、副走査方向に走査するときのピッチにより定まる。また、読取られた画像データは画像メモリ１０６に記憶され、画像処理部１０７が画像処理を施すため、画像メモリ１０６から読出した画像データは画像処理部１０７での処理に依存したデータとなる。更に、画像メモリ１０６から読出した画像データは画像形成部２０へ転送され、用紙上に画像形成が行われる。したがって、用紙上に形成される画像は画像形成部２０が備える各ハードウェアの性能に依存することとなる。
【００５３】
このように原稿のコピーを行う場合、デジタル複合機１００内の各種ハードウェア及びソフトウェアによる処理の影響を受けるため、出力する画像の劣化が起こる。特に、二次コピー、三次コピーとなると画像の劣化が顕著に現れる。また、カラー原稿のコピーを行う場合、原稿読取部１０が取得する輝度信号（ＲＧＢ信号）を濃度信号（ＣＭＹＫ信号）に変換する必要があるため、原稿に使用されている色を忠実に再現することが困難である。したがって、カラー原稿をコピーした場合も画像の劣化が顕著に現れる。
【００５４】
本実施の形態では、カラー原稿のコピーを行う場合、カラー原稿の代わりに指示シートを用意する。指示シートは、カラー原稿作成時に生成されたオリジナルデータの取得と、取得したオリジナルデータに基づく出力処理とを指示するためのシートである。図３はカラー原稿のコピーを行う際に用意する原稿の一例を示す模式図である。図３（ａ）に示した模式図は、全８頁からなる原稿のうち、１頁目〜４頁目までが白黒原稿、５頁目がカラー原稿の代わりに用意した指示シート、６頁目〜８頁目までが白黒原稿であることを示している。
【００５５】
図３（ｂ）は指示シートの一例を示している。指示シートの適宜箇所にはオリジナルデータの保存先情報が付されている。また、保存先情報の上側には指示シートと一般の原稿とを識別する識別マークが付されている。図３（ｂ）に示した例では、「￥￥１９２．１６８．１０．２０￥Ｐｕｂ￥Ｐｉｃ．ｊｐｇ」という文字列により保存先情報を記述している。この保存先情報は、保存先の装置（例えば、情報処理装置２００又はサーバ装置３００）の通信アドレス、ディレクトリ、及びファイル名の情報により構成されている。なお、オリジナルデータの保存先がデジタル複合機１００内のＨＤＤ１０９である場合には通信アドレスの情報を省略することができる。一方、識別マークとしては、予め定めた図形、文字、又はこれらの組合わせを使用することができる。
【００５６】
図４は原稿の読込順序と出力画像の出力順序との関係を説明する説明図である。図３（ａ）に示した白黒原稿及び指示シートを１頁目から順に読込んだ場合、５頁目の指示シートのみ置き換えを行うため、１頁目〜４頁目まで白黒画像が出力され、５頁目はオリジナルデータに基づくカラー画像が出力され、残る６頁目〜８頁目まで白黒画像が出力されることになる。このように、本実施の形態では、カラー原稿のコピーを行う際、作成元のオリジナルデータを取得して出力処理が行えるため、画像の劣化が防止できる。
【００５７】
以下、デジタル複合機１００の動作について説明する。図５はコピー処理の際にデジタル複合機１００が実行する処理の手順を説明するフローチャートである。なお、本フローチャートでは、ＡＤＦの原稿トレイ１１ａに載置された原稿束から１枚ずつ原稿を読取って出力処理を行う場合について説明する。デジタル複合機１００のＣＰＵ１０１は、操作パネル１０５を通じて入力される情報を監視することにより、原稿の読取開始指示が与えられたか否かを判断する（ステップＳ１１）。原稿の読取開始指示が与えられていないと判断した場合（Ｓ１１：ＮＯ）、原稿の読取開始指示が与えられるまで待機する。
【００５８】
原稿の読取開始指示が与えられたと判断した場合（Ｓ１１：ＹＥＳ）、ＣＰＵ１０１は、原稿読取部１０に設けられている呼込ローラ１３ａを駆動し、原稿の給送を開始する（ステップＳ１２）。呼込ローラ１３ａによって分離給送された原稿は所定の搬送路に沿って搬送される。搬送される原稿が原稿台１１ｂの所定位置を通過する際、その原稿に記録された画像がＣＣＤラインセンサ１９によって読取られる（ステップＳ１３）。ＣＣＤラインセンサ１９が読取った画像はデジタル形式の画像データとして出力され、画像メモリ１０６に記憶される。
【００５９】
次いで、ＣＰＵ１０１は、読取った原稿が指示シートであるか否かを判断する（ステップＳ１４）。指示シートには一般の原稿と指示シートとを識別するための識別マークが付されているため、画像メモリ１０６に記憶された１頁分の画像データについてパターン認識を行い、識別マークが付されているか否かを判断することにより、読取った原稿が指示シートであるか否かを判断することができる。
【００６０】
指示シートであると判断した場合（Ｓ１４：ＹＥＳ）、指示シートからカラー原稿の保存先情報を抽出する（ステップＳ１５）。本実施の形態では、カラー原稿の保存先情報を文字列により記述しているため、公知の文字認識技術により文字列を構成する各文字を認識してゆくことにより保存先情報を抽出することができる。
【００６１】
次いで、ＣＰＵ１０１は、抽出した保存先情報を基にカラー原稿のオリジナルデータを取得する（ステップＳ１６）。カラー原稿を作成したときの文書データ、グラフィックスデータが情報処理装置２００又はサーバ装置３００内の記憶装置に保存されている場合、ＣＰＵ１０１はこれらの装置に対してデータの送信要求を行う。例えば、通信ネットワークＮがＦＴＰ（File Transfer Protocol）に準拠している場合には、Fetchコマンドを目的の装置へ送信することでデータを取得することができる。また、カラー原稿を作成したときの文書データ、グラフィックスデータがデジタル複合機１００内のＨＤＤ１０９に保存されている場合、ＣＰＵ１０１はＨＤＤ１０９から目的のデータを読出す。
【００６２】
そして、ＣＰＵ１０１は、取得したオリジナルデータに基づいて出力処理を実行する（ステップＳ１７）。取得したオリジナルデータが、文書データ、グラフィックスデータ等である場合には、ＣＰＵ１０１は、それらのデータから印刷用のデータ（例えば、ビットマップデータ）を生成し、生成したデータを画像形成部２０へ転送し、用紙上への画像形成を完成させる。また、取得したオリジナルデータが、ＨＤＤ１０９から読出した画像データである場合には、そのまま画像形成部２０へ転送し、用紙上への画像形成を完成させる。
【００６３】
一方、ステップＳ１４で読取った原稿が指示シートでないと判断した場合（Ｓ１４：ＮＯ）、読取った画像データに基づいて出力処理を実行する（ステップＳ１８）。読取った画像データは画像メモリ１０６に一時的に記憶されるため、その画像データに対して適宜の画像処理を施し、処理後の画像データを画像形成部２０へ転送することにより用紙上への画像形成を完成させる。
【００６４】
次いで、全原稿の読取りが完了したか否かを判断する（ステップＳ１９）。全原稿の読取りが完了していないと判断した場合（Ｓ１９：ＮＯ）、ＣＰＵ１０１は処理をステップＳ１２へ戻し、全原稿の読取りが完了したと判断した場合（Ｓ１９：ＹＥＳ）、本フローチャートによる処理を終了する。
【００６５】
なお、本実施の形態では、カラー原稿の保存先情報を文字列に記述する構成としたが、文字列の代わりにバーコードを使用してもよい。図６は指示シートの他の例を示す模式図である。図６（ａ）では保存先情報をバーコードにより記述している。保存先情報をバーコードにより記述することにより、文字認識処理を実行する必要がなくなるため、情報の抽出が容易かつ正確となる。また、図６（ｂ）に示すように保存先情報だけでなく、一般の原稿と指示シートとの区別を示す識別マークも含めてバーコードにより記述してもよい。
【００６６】
また、本実施の形態では、カラー原稿について指示シートを用意し、カラー原稿を作成したときのオリジナルデータを情報処理装置２００、サーバ装置３００、又はＨＤＤ１０９から取得するようにしたが、白黒原稿についても指示シートを用意し、同様にオリジナルデータを取得するようにしてもよい。白黒原稿に白黒写真等のハーフトーンの画像が含まれている場合、白黒原稿が二次コピー、三次コピーとなる場合、オリジナルデータに基づいて出力処理が行えるので画像の劣化が防止される。
【００６７】
実施の形態２．
実施の形態１では、所望の頁順で出力が行えるように指示シートの読込順序を考慮する必要があったが、保存先情報、識別マークに加えて出力順序を示す頁情報を指示シートに付加するようにしてもよい。
【００６８】
図７はカラー原稿のコピーを行う際に用意する原稿の一例を示す模式図である。図７（ａ）に示した模式図は、全８頁からなる原稿のうち、５頁目および６頁目が指示シートであり、残りが白黒原稿であることを示している。図７（ｂ）は指示シートの一例を示している。指示シートの適宜箇所にはオリジナルデータの保存先情報が付されている。また、保存先情報の上側には指示シートと一般の原稿とを識別する識別マークが付されており、保存先情報の下側には出力順序を示す頁情報が付されている。頁情報の「＃Ｎ」はＮ頁目に出力すべき旨を指定している。
【００６９】
図８は原稿の読込順序と出力画像の出力順序との関係を説明する説明図である。本実施の形態では、指示シートに出力順序を示す頁情報を付加しているため、読込順序を所望の出力順序に一致させる必要はなく、例えば指示シートを最初に読込むことも可能である。図８に示した例では、２枚の指示シートを先に読込み、次いで白黒原稿の読込みを行っている。２枚の指示シートの頁情報がそれぞれ「＃５」、「＃６」になっている場合、オリジナルデータに基づくカラー画像は５頁目及び６頁目に出力されることになる。
【００７０】
以下、本実施の形態におけるデジタル複合機１００の動作について説明する。図９はコピー処理の際にデジタル複合機１００が実行する処理の手順を説明するフローチャートである。本実施の形態では、白黒原稿の読取りに先立ち、指示シートの読取りを行うものとする。デジタル複合機１００のＣＰＵ１０１は、操作パネル１０５を通じて入力される情報を監視することにより、原稿の読取開始指示が与えられたか否かを判断する（ステップＳ２１）。原稿の読取開始指示が与えられていないと判断した場合（Ｓ２１：ＮＯ）、原稿の読取開始指示が与えられるまで待機する。
【００７１】
原稿の読取開始指示が与えられたと判断した場合（Ｓ２１：ＹＥＳ）、ＣＰＵ１０１は、原稿読取部１０に設けられている呼込ローラ１３ａを駆動し、原稿の給送を開始する（ステップＳ２２）。呼込ローラ１３ａによって分離給送された原稿は所定の搬送路に沿って搬送される。搬送される原稿の原稿台１１ｂの所定位置を通過する際、その原稿に記録された画像がＣＣＤラインセンサ１９によって読取られる（ステップＳ２３）。ＣＣＤラインセンサ１９が読取った画像はデジタル形式の画像データとして出力され、画像メモリ１０６に記憶される。
【００７２】
次いで、ＣＰＵ１０１は、読取った原稿が指示シートであるか否かを判断する（ステップＳ２４）。画像メモリ１０６に記憶された１頁分の画像データについてパターン認識を行い、一般の原稿と指示シートとを識別するための識別マークが付されているか否かを判断することにより、読取った原稿が指示シートであるか否かを判断する。
【００７３】
指示シートであると判断した場合（Ｓ２４：ＹＥＳ）、指示シートからカラー原稿の保存先情報を抽出し（ステップＳ２５）、抽出した保存先情報を基にカラー原稿のオリジナルデータを取得する（ステップＳ２６）。すなわち、カラー原稿のオリジナルデータが情報処理装置２００又はサーバ装置３００内の記憶装置に保存されている場合、ＣＰＵ１０１はこれらの装置に対してデータの送信要求を行う。そして、送信要求に応じて返信されてくるデータを受信する。また、カラー原稿を作成したときのオリジナルデータがデジタル複合機１００内のＨＤＤ１０９に保存されている場合、このＨＤＤ１０９から目的のデータを読出す。
【００７４】
一方、ステップＳ２４で指示シートでないと判断した場合（Ｓ２４：ＮＯ）、すなわち、全ての指示シートの読取りが完了したと判断した場合、オリジナルデータを出力すべき頁であるか否かを判断する（ステップＳ２７）。指示シートに付されている頁情報を基にオリジナルデータを出力すべき頁であるか否かを判断することができる。
【００７５】
オリジナルデータを出力すべき頁であると判断した場合（Ｓ２７：ＹＥＳ）、そのオリジナルデータが取得済みであるか否かを判断する（ステップＳ２８）。オリジナルデータを取得していないと判断した場合（Ｓ２８：ＮＯ）、オリジナルデータを取得するまで待機する。オリジナルデータが取得済みであると判断した場合（Ｓ２８：ＹＥＳ）、取得したオリジナルデータに基づいて出力処理を実行する（ステップＳ２９）。取得したオリジナルデータが、文書データ、グラフィックスデータ等である場合には、ＣＰＵ１０１は、それらのデータから印刷用のデータ（例えば、ビットマップデータ）を生成し、生成したデータを画像形成部２０へ転送し、用紙上への画像形成を完成させる。また、取得したオリジナルデータが、ＨＤＤ１０９から読出した画像データである場合には、そのまま画像形成部２０へ転送し、用紙上への画像形成を完成させる。
【００７６】
一方、ステップＳ２７でオリジナルデータを出力すべき頁でないと判断した場合（Ｓ２７：ＮＯ）、読取った画像データに基づいて出力処理を実行する（ステップＳ３０）。読取った画像データは画像メモリ１０６に一時的に記憶されるため、その画像データに対して適宜の画像処理を施し、処理後の画像データを画像形成部２０へ転送することにより用紙上への画像形成を完成させる。
【００７７】
オリジナルデータに基づく出力処理、読取った画像データに基づく出力処理を行った場合、ＣＰＵ１０１は、全原稿の読取りが完了したか否かを判断する（ステップＳ３１）。全原稿の読取りが完了していないと判断した場合（Ｓ３１：ＮＯ）、ＣＰＵ１０１は処理をステップＳ２２へ戻す。一方、全原稿の読取りが完了したと判断した場合（Ｓ３１：ＹＥＳ）、本フローチャートによる処理を終了する。
【００７８】
このように本実施の形態では、指示シートの読取りを白黒原稿の読取りに先立って行うため、白黒原稿の読取りを行っている最中にオリジナルデータを取得することができる。したがって、実施の形態１で説明したようにその都度オリジナルデータを取得する場合と比較して処理時間を短縮することができる。また、１枚の指示シートに複数の保存先情報および頁情報を記録するようにしてもよい。図１０は複数の保存先情報および頁情報を記録した指示シートの一例を示す模式図である。この指示シートを読取った場合、５頁目に出力するカラー画像として「￥￥１９２．１６８．１０．２０￥Ｐｕｂ￥Ｐｉｃ１．ｊｐｇ」で特定されるオリジナルデータを取得し、６頁目に出力するカラー画像として「￥￥１９２．１６８．１０．２０￥Ｐｕｂ￥Ｐｉｃ２．ｊｐｇ」で特定されるオリジナルデータを取得する。
【図面の簡単な説明】
【００７９】
【図１】本実施の形態に係るデジタル複合機の内部構成を示す模式的断面図である。
【図２】デジタル複合機の制御系の構成を説明するブロック図である。
【図３】カラー原稿のコピーを行う際に用意する原稿の一例を示す模式図である。
【図４】原稿の読込順序と出力画像の出力順序との関係を説明する説明図である。
【図５】コピー処理の際にデジタル複合機が実行する処理の手順を説明するフローチャートである。
【図６】指示シートの他の例を示す模式図である。
【図７】カラー原稿のコピーを行う際に用意する原稿の一例を示す模式図である。
【図８】原稿の読込順序と出力画像の出力順序との関係を説明する説明図である。
【図９】コピー処理の際にデジタル複合機が実行する処理の手順を説明するフローチャートである。
【図１０】複数の保存先情報および頁情報を記録した指示シートの一例を示す模式図である。
【符号の説明】
【００８０】
１０  原稿読取部
２０  画像形成部
１００  デジタル複合機
１０１  ＣＰＵ
１０３  ＲＯＭ
１０４  ＲＡＭ
１０５  操作パネル
１０６  画像メモリ
１０７  画像処理部
１０８  画像形成部
１０９  ＨＤＤ
２００  情報処理装置
３００  サーバ装置
Ｎ  通信ネットワーク
【図１】
0004573742.tif 000002
【図２】
0004573742.tif 000003
【図３】
0004573742.tif 000004
【図４】
0004573742.tif 000005
【図５】
0004573742.tif 000006
【図６】
0004573742.tif 000007
【図７】
0004573742.tif 000008
【図８】
0004573742.tif 000009
【図９】
0004573742.tif 000010
【図１０】
0004573742.tif 000011